(57)【要約】  機械室の上部に設置された電気部品に冷却する空気を確保しつつ、外部からの浸入した水が電気部品に達するのを抑制する空気調和装置の室外機を提供することを目的とする。空気調和装置の室外機は、熱交換器、室外ファン、圧縮機、及び電気部品が筐体の内部に収納された空気調和装置の室外機において、室外ファン及び熱交換器が配置される主風路と、圧縮機及び電気部品が配置される機械室と、を備える。筐体は、機械室の外郭の側面を構成する機械室側パネルを備え、機械室側パネルは、機械室の内部に外部空気が流入する通気口と、機械室の内側に向かって斜め下方に延びる遮蔽部と、を備える。遮蔽部は、通気口の内側に位置し、電気部品は、遮蔽部よりも上方に配置されている。
2019163100.tif 000002
【特許請求の範囲】
【請求項１】
熱交換器、室外ファン、圧縮機、及び電気部品が筐体の内部に備える空気調和装置の室外機において、
前記室外ファン及び前記熱交換器が配置される主風路と、
前記圧縮機及び前記電気部品が配置される機械室と、を備え、
前記筐体は、
前記機械室の外郭の側面を構成する機械室側パネルを備え、
前記機械室側パネルは、
前記機械室の内部に外部空気が流入する通気口と、
前記機械室の内側に向かって斜め下方に延びる遮蔽部と、を備え、
前記遮蔽部は、
前記通気口の内側に位置し、
前記電気部品は、
前記遮蔽部よりも上方に配置されている、空気調和装置の室外機。
【請求項２】
前記機械室側パネルは、
前記電気部品が配置されている部分の外郭の側面を構成する上側パネルと、
前記上側パネルの下方において前記上側パネルと組み合わされる下側パネルと、を備え、
前記通気口は、
前記下側パネルに設けられ、
前記遮蔽部は、
前記上側パネルの下端部に設けられている、請求項１に記載の空気調和装置の室外機。
【請求項３】
前記遮蔽部の下端は、
前記通気口の下端よりも上方に位置する、請求項１又は２に記載の空気調和装置の室外機。
【請求項４】
前記通気口は、
前記機械室側パネルに垂直な方向に向かって設けられた開口部と、
前記開口部の上端から下方に延び前記開口部を覆う案内部と、を備え、
前記案内部の下端と前記開口部の下端とにより空気導入口が形成され、
前記空気導入口は、
下方に向かって開口している、請求項１〜３の何れか１項に記載の空気調和装置の室外機。
【請求項５】
前記電気部品は、
前記通気口の下端と前記遮蔽部の先端とを通る仮想面よりも上方に位置する、請求項２に記載の空気調和装置の室外機。
【発明の詳細な説明】
【技術分野】
【０００１】
本発明は、空気調和装置の室外機に関し、特に機械室に外部空気を導入する構造に関する。
【背景技術】
【０００２】
従来、空気調和装置の室外機において機械室の外郭を構成するパネルには通気口が設けられている。通気口から吸い込まれる外部空気により、電気部品の温度上昇の抑制を行っている。しかし、通気口から吸い込まれる空気と共に雨水等の浸入が懸念される。水が機械室の内部に浸入することにより、電気部品に水分が付着し、回路のショート、漏電、及び発火等のおそれがある。また、機械室の内部に設置されている冷媒容器に水分が付着し、錆が発生し劣化するおそれもある。冷媒容器が劣化すると、冷媒容器からの冷媒漏洩のおそれがある。【０００３】
特許文献１によれば、機械室の外郭を構成するパネルに通気口が設けられ、その内側に水の浸入を防止する内部パネルを設けている。内部パネルは、外郭を構成するパネルに内側からとりつけられており、通気口が設けられているパネルと平行に配置されている。
【先行技術文献】
【特許文献】
【０００４】
【特許文献１】特開２００６−８４１０６号公報
【発明の概要】
【発明が解決しようとする課題】
【０００５】
特許文献１に開示されている空気調和装置の室外機のように、機械室の内部に内部パネルを設けたり、又は電気部品に絶縁体を施す等の対策を行った場合、組立て作業工程の増加、ひいては製品のコストアップの要因となっていた。また、内部パネルの下端部は、通気口の下端よりも下方に位置するため、通気口から導入された空気は、内部パネルに沿って下方に流れるため、機械室の内部の上部に配置されている電気部品を冷却する空気が十分に届かず、電気部品の冷却が十分に行われないという課題があった。【０００６】
本発明は、以上のような課題を解決するためになされたもので、機械室の上部に設置された電気部品を冷却する空気を確保しつつ、外部からの浸入した水が電気部品に達するのを抑制する空気調和装置の室外機を提供することを目的とする。
【課題を解決するための手段】
【０００７】
本発明に係る空気調和装置の室外機は、熱交換器、室外ファン、圧縮機、及び電気部品が筐体の内部に備える空気調和装置の室外機において、前記室外ファン及び前記熱交換器が配置される主風路と、前記圧縮機及び前記電気部品が配置される機械室と、を備え、前記筐体は、前記機械室の外郭の側面を構成する機械室側パネルを備え、前記機械室側パネルは、前記機械室の内部に外部空気が流入する通気口と、前記機械室の内側に向かって斜め下方に延びる遮蔽部と、を備え、前記遮蔽部は、前記通気口の内側に位置し、前記電気部品は、前記遮蔽部よりも上方に配置されている。
【発明の効果】
【０００８】
本発明に係る空気調和装置の室外機によれば、上記構成により、通気口を内側から遮蔽する部材を新たに追加することなく機械室内部への水の浸入を抑制することができ、水が電気部品に達するのを抑制することができる。また、遮蔽部は、内側に向かって斜め下方に延びるため、電気部品を冷却する空気も確保することができる。
【図面の簡単な説明】
【０００９】
【図１】実施の形態１に係る空気調和装置の室外機の斜視図である。
【図２】図１の空気調和装置の室外機の内部構造を説明する斜視図である。
【図３】図１の空気調和装置の室外機の内部構造を説明する正面図である。
【図４】図１の空気調和装置の室外機を機械室側から見た側面図である。
【図５】実施の形態１に係る空気調和装置の室外機の背面パネルの上側パネルの斜視図である。
【図６】実施の形態１に係る空気調和装置の室外機の背面パネルの下側パネルの斜視図である。
【図７】図４のＺ−Ｚ断面を示す図である。
【発明を実施するための形態】
【００１０】
実施の形態１．
以下に、空気調和装置の室外機１００の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１１】
＜室外機１００の全体構成＞
図１は、実施の形態１に係る空気調和装置の室外機１００の斜視図である。空気調和装置の室外機１００の筐体１は、天面パネル２、風路正面パネル３、機械室正面パネル４、背面パネル５で構成されている。なお、機械室正面パネル４は、機械室上側正面パネル４ａ、機械室下側正面パネル４ｂで構成されている。背面パネル５は、上側パネル５ａ、下側パネル５ｂで構成されている。
【００１２】
図２は、図１の空気調和装置の室外機１００の内部構造を説明する斜視図である。図３は、図１の空気調和装置の室外機１００の内部構造を説明する正面図である。図２は、筐体１から、天面パネル２、風路正面パネル３、機械室正面パネル４、背面パネル５を取り外した状態を示している。筐体１の内部は、室外ファン８及び熱交換器７が配置される主風路３０と、圧縮機１１及び電気部品１２が配置される機械室２０とを備える。機械室２０と主風路３０とは、セパレータ１０により区切られている。
【００１３】
主風路３０は、筐体１の背面側から外部空気を取り込み、正面側から吹き出す。主風路３０の正面側には、ファンガード３１が設けられている。室外ファン８は、ファンモータ固定板金９を介して主風路３０内に固定されている。ファンモータ固定板金９は、筐体１の底部を形成する底板６に固定されている。熱交換器７は、主風路３０の背面側にある空気取り込み口全域に配置されている。
【００１４】
機械室２０は、圧縮機１１及び電気部品１２を備える。機械室２０の下部には圧縮機１１が設置されている。圧縮機１１は、筐体１の底部を形成する底板６の上に設置されている。図２には省略されているが、圧縮機１１に接続する冷媒配管も圧縮機１１の周囲に配置されている。機械室２０の上部には、圧縮機１１、室外ファン８等の運転を制御するための電気部品１２が配置されている。電気部品１２は、空気調和装置の室外機１００が運転されることにより発熱するため、冷却が必要である。
【００１５】
実施の形態１において、機械室２０の外郭の側面は、機械室正面パネル４及び背面パネル５により構成されている。機械室正面パネル４及び背面パネル５のように機械室２０の外郭の側面を構成するパネルを総称して機械室側パネルと呼ぶ。機械室２０の内部には、電気部品１２及び圧縮機１１が設置されているため、内部への水の浸入を極力抑える必要がある。圧縮機１１に水分が付着すると錆により劣化し、冷媒回路から冷媒が漏れる場合がある。また、電気部品１２に水分が付着すると、回路のショート、発熱、及び発火が生じるおそれがある。しかし、一方で室外機１００が運転されているときは電気部品１２は発熱するため、冷却する必要がある。そのため、機械室２０の外郭には内部に外部の空気を取り込み、電気部品１２に送る通気口５０が設けられている。
【００１６】
図４は、図１の空気調和装置の室外機１００を機械室２０側から見た側面図である。機械室２０の外郭の側面には通気口５０が設けられている。通気口５０は、機械室２０の下部に設けられており、実施の形態１においては、背面パネル５の下側パネル５ｂに設けられている。
【００１７】
図５は、実施の形態１に係る空気調和装置の室外機１００の背面パネル５の上側パネル５ａの斜視図である。上側パネル５ａは、機械室２０の上部の側面のうち背面側の外郭を構成するものである。上側パネル５ａは、上部は天面パネル２と組み合わされ、下部は、下側パネル５ｂと組み合わされる。また、前面側は、機械室上側正面パネル４ａと組み合わされる。隣合う各パネル同士は、端部において重ね合わされ、内部に水や塵埃が浸入しないように構成されている。
【００１８】
また、上側パネル５ａは、下端部５４に遮蔽部１４を備える。遮蔽部１４は、機械室２０の内側に向かって斜め下方に延設されている。遮蔽部１４は、上側パネル５ａと下側パネル５ｂとが組み合わされる際に重ね合わせられる部分から更に下方に突出して設けられているため、下側パネル５ｂの裏側に入り込む。特に、遮蔽部１４は、室外機１００の外側から見た時に、下側パネル５ｂに設けられた通気口５０の裏側に周り込んで配置されている。
【００１９】
図６は、実施の形態１に係る空気調和装置の室外機１００の背面パネル５の下側パネル５ｂの斜視図である。下側パネル５ｂの側面には通気口５０が設けられている。通気口５０は、空気調和装置の室外機１００を正面から見たときに側面側に設けられている。なお、実施の形態１においては、背面パネル５の下側パネル５ｂに通気口５０が設けられているが、機械室２０の内部に空気を導入できれば、例えば機械室下側正面パネル４ｂ等に設けても良い。ただし、通気口５０の構造は、次に説明する構造を有している必要がある。
【００２０】
図７は、図４のＺ−Ｚ断面を示す図である。図７を用いて、通気口５０の断面構造を説明する。上側パネル５ａの下端部５４から下方に向かって設けられている遮蔽部１４は、機械室２０の内側に向かって斜め下方に延びているため、下側パネル５ｂの内側に入り込み、通気口５０に対し機械室２０の内部側に位置する。下側パネル５ｂの上端部５３は、上側パネル５ａの下端部５４と重ね合わされる。このため、上側パネル５ａと下側パネル５ｂとの合わせ部からの水及び塵埃の浸入は抑制されている。
【００２１】
下側パネル５ｂには、筐体１の側面に垂直な方向に向かって開口部５１が形成されている。開口部５１は、案内部１３に覆われており、筐体１の側面から見た時に視認出来ないように構成されている。開口部５１の下端と案内部１３の下端とにより空気導入口５２が形成されている。つまり、開口部５１の下端と案内部１３の下端との間の隙間から空気が取り込まれるようになっている。案内部１３は、開口部５１の上端から下方に延びるように構成されているため、空気導入口５２は、下方を向いて形成されている。このように構成されていることにより、主に上方から落ちてくる雨水が内部に浸入するのを抑制しつつ、外部の空気は空気導入口５２から入るように構成されている。
【００２２】
図７の矢印１５及び矢印１８は、空気導入口５２から流れ込む空気の流れを示す。空気は、厳密に矢印１５、矢印１８に沿って流れるわけではなく、空気の主な流れを模式的に表したものである。遮蔽部１４は、筐体１の前後方向において、通気口５０の幅全域を覆う様に形成されている。空気導入口５２は、下側を向いて形成されているため、流入した外部空気は、主に下から斜め上方に向かって流れる。遮蔽部１４は、通気口５０の上端と同じ位置又はそれよりも上方から斜め下方に延びており、通気口５０から流れ込んだ空気は、遮蔽部１４に当たり流れる方向が変えられる。このように構成されるため、通気口５０から流れ込む空気の流速が速い場合は、雨水等の水分が空気とともに流れ込む場合がある。しかし、水分は遮蔽部１４に当たるため、遮蔽部１４に付着するか、水滴が大きい場合は、重力により下に落ちる。
【００２３】
また、通気口５０の空気導入口５２は下方を向いているため、強風などにより通気口５０に流速の速い空気が入り込もうとしても、その流速は減衰される。また、遮蔽部１４が内部にあるため、空気はこれに当たることにより流速が減衰される。従って、通気口５０に流れ込む空気は、減速されて機械室２０内に進入するため、外部の塵埃等が機械室２０内に拡散するのを抑制する。
【００２４】
遮蔽部１４の先端は、通気口５０の下端よりも上方に位置する。このように構成されることにより、遮蔽部１４は、通気口５０から流れ込む空気を減速させつつ、上方にある電気部品１２へ送る空気も確保することができる。つまり、通気口５０から流れ込む空気は、図７の矢印１８に示されるように、遮蔽部１４に当たった後に遮蔽部１４を迂回して流れる。なお、電気部品１２は、通気口５０の下端と遮蔽部１４の先端とを通る仮想面よりも上方に位置するため、空気と共に機械室２０内に流れ込む水滴に当たることがない。
【００２５】
なお、機械室２０は、主風路３０の空気の流れに接続する風路を備えており、機械室２０の内部の空気を主風路３０に引き込むように構成されている。風路は、電気部品１２の近傍に配置されており、機械室２０の内部の空気が電気部品１２を通過して主風路３０に流れ込むように構成されており、電気部品１２の冷却が積極的に行われるようになっている。
【００２６】
以上のように構成されることにより、空気調和装置の室外機１００は、通気口５０から電気部品１２を冷却するための空気を確保しつつ、外部から浸入する水分を電気部品１２に達するのを抑制することができる。よって、機械室２０内の電気部品１２のショート、漏電、及び発火を抑制するだけでなく、圧縮機１１の錆による劣化も抑制することができる。また、通気口５０から流れ込む空気を遮蔽部１４に当てることにより減速することができるため、機械室２０内に入った塵埃等が内部に拡散することがない。
【符号の説明】
【００２７】
１  筐体、２  天面パネル、３  風路正面パネル、４  機械室正面パネル、４ａ  機械室上側正面パネル、４ｂ  機械室下側正面パネル、５  背面パネル、５ａ  上側パネル、５ｂ  下側パネル、６  底板、７  熱交換器、８  室外ファン、９  ファンモータ固定板金、１０  セパレータ、１１  圧縮機、１２  電気部品、１３  案内部、１４  遮蔽部、１５  矢印、１８  矢印、２０  機械室、３０  主風路、３１  ファンガード、５０  通気口、５１  開口部、５２  空気導入口、５３  上端部、５４  下端部、１００  室外機。
【図１】
2019163100.tif 000003
【図２】
2019163100.tif 000004
【図３】
2019163100.tif 000005
【図４】
2019163100.tif 000006
【図５】
2019163100.tif 000007
【図６】
2019163100.tif 000008
【図７】
2019163100.tif 000009
【手続補正書】
【提出日】令和2年5月22日(2020.5.22)
【手続補正１】
【補正対象書類名】明細書
【補正対象項目名】０００７
【補正方法】変更
【補正の内容】
【０００７】
本発明に係る空気調和装置の室外機は、熱交換器、室外ファン、圧縮機、及び電気部品を筐体の内部に備える空気調和装置の室外機において、前記室外ファン及び前記熱交換器が配置される主風路と、前記圧縮機及び前記電気部品が配置される機械室と、を備え、前記筐体は、前記機械室の外郭の側面を構成する機械室側パネルを備え、前記機械室側パネルは、前記機械室の内部に外部空気が流入する通気口と、前記機械室の内側に向かって斜め下方に延びる遮蔽部と、を備え、前記遮蔽部は、前記通気口の内側に位置し、前記電気部品は、前記遮蔽部よりも上方に配置されている。
【手続補正２】
【補正対象書類名】特許請求の範囲
【補正対象項目名】全文
【補正方法】変更
【補正の内容】
【特許請求の範囲】
【請求項１】
熱交換器、室外ファン、圧縮機、及び電気部品を筐体の内部に備える空気調和装置の室外機において、
前記室外ファン及び前記熱交換器が配置される主風路と、
前記圧縮機及び前記電気部品が配置される機械室と、を備え、
前記筐体は、
前記機械室の外郭の側面を構成する機械室側パネルを備え、
前記機械室側パネルは、
前記機械室の内部に外部空気が流入する通気口と、
前記機械室の内側に向かって斜め下方に延びる遮蔽部と、を備え、
前記遮蔽部は、
前記通気口の内側に位置し、
前記電気部品は、
前記遮蔽部よりも上方に配置されている、空気調和装置の室外機。
【請求項２】
前記機械室側パネルは、
前記電気部品が配置されている部分の外郭の側面を構成する上側パネルと、
前記上側パネルの下方において前記上側パネルと組み合わされる下側パネルと、を備え、
前記通気口は、
前記下側パネルに設けられ、
前記遮蔽部は、
前記上側パネルの下端部に設けられている、請求項１に記載の空気調和装置の室外機。
【請求項３】
前記遮蔽部の下端は、
前記通気口の下端よりも上方に位置する、請求項１又は２に記載の空気調和装置の室外機。
【請求項４】
前記通気口は、
前記機械室側パネルに垂直な方向に向かって設けられた開口部と、
前記開口部の上端から下方に延び前記開口部を覆う案内部と、を備え、
前記案内部の下端と前記開口部の下端とにより空気導入口が形成され、
前記空気導入口は、
下方に向かって開口している、請求項１〜３の何れか１項に記載の空気調和装置の室外機。
【請求項５】
前記電気部品は、
前記通気口の下端と前記遮蔽部の先端とを通る仮想面よりも上方に位置する、請求項２に記載の空気調和装置の室外機。
【国際調査報告】
2019163100.tif 000010
2019163100.tif 000011
2019163100.tif 000012
2019163100.tif 000013